(57)【要約】【課題】  記録した放送データを、当該放送データの著作権を害することなく再生することが可能な電子機器、記録再生システム、記録再生方法及びそのプログラムを提供すること。【解決手段】  パーソナルコンピュータ１は、カード型受信装置１０から、当該カード型受信装置１０に固有の識別情報を用いて暗号化された放送データを受信して、暗号化された状態で記録する。当該記録した放送データを再生する場合には、記録時のカード型受信装置１０が接続された状態で、当該カード型受信装置１０から上記識別情報を受信して、記録された放送データの暗号を、当該識別情報を用いて復号し、再生する。これにより、記録した放送データを再生する際には、記録時に接続されていたカード型受信装置１０が接続されていないと再生できないこととなり、当該放送データの著作権が適切に保護される。【選択図】  図１１
2006245699.tif 000002
【特許請求の範囲】
【請求項１】
デジタル放送の放送データを受信可能な受信装置と接続するインターフェース部と、
前記受信装置により受信され、前記受信装置を識別する識別情報を用いて暗号化された放送データを、当該受信装置から前記インターフェース部を介して受信する第１の受信手段と、
前記受信された放送データを記録する記録手段と、
前記受信装置から前記インターフェース部を介して前記識別情報を受信する第２の受信手段と、
前記受信された識別情報を用いて、前記記録された放送データの暗号を復号する復号手段と、
前記復号された放送データを再生する再生手段と
を具備することを特徴とする電子機器。
【請求項２】
請求項１に記載の電子機器であって、
前記受信装置で受信される放送データは前記識別情報を用いてスクランブルされており、
前記受信装置は、前記識別情報を用いて前記スクランブルされた放送データをデスクランブルし、更に当該識別情報を用いて暗号化する
ことを特徴とする電子機器。
【請求項３】
請求項１に記載の電子機器であって、
上記インターフェース部はＰＣカードスロットを有し、
上記受信装置は前記ＰＣカードスロットに挿入されることで当該電子機器と接続可能なＰＣカード型の受信装置である
ことを特徴とする電子機器。
【請求項４】
デジタル放送の放送データを受信可能な受信装置と当該受信装置と接続可能な電子機器とでなる記録再生システムであって、
前記受信装置は、
前記デジタル放送の放送データを受信する手段と、
前記受信された放送データを、当該受信装置を識別する識別情報を用いて暗号化する手段と、
前記暗号化された放送データを前記接続された電子機器へ送信する手段と
を有し、
前記電子機器は、
前記受信装置から前記放送データを受信する手段と、
前記受信された放送データを記録する手段と、
前記受信装置から前記識別情報を受信する手段と、
前記受信された識別情報を用いて、前記記録された前記放送データの暗号を復号する手段と、
前記復号された放送データを再生する手段と
を有することを特徴とする記録再生システム。
【請求項５】
デジタル放送の放送データを受信可能な受信装置と接続するステップと、
前記受信装置により受信され、前記受信装置を識別する識別情報を用いて暗号化された放送データを当該受信装置から受信するステップと、
前記受信された放送データを記録するステップと、
前記受信装置から前記識別情報を受信するステップと、
前記受信された識別情報を用いて、前記記録された放送データの暗号を復号するステップと、
前記復号された放送データを再生するステップと
を具備することを特徴とする記録再生方法。
【請求項６】
電子機器に、
デジタル放送の放送データを受信可能な受信装置と接続するステップと、
前記受信装置により受信され、前記受信装置を識別する識別情報を用いて暗号化された放送データを当該受信装置から受信するステップと、
前記受信された放送データを記録するステップと、
前記受信装置から前記識別情報を受信するステップと、
前記受信された識別情報を用いて、前記記録された放送データの暗号を復号するステップと、
前記復号された放送データを再生するステップと
を実行させるためのプログラム。
【発明の詳細な説明】
【技術分野】
【０００１】
本発明は、例えばデジタル衛星放送等の放送データを記録及び再生することが可能な電子機器、記録再生システム、記録再生方法及びそのプログラムに関する。
【背景技術】
【０００２】
近年、地上波や放送衛星によるデジタル放送が開始されたのに伴い、デジタル放送チューナーを内蔵した録画再生装置に関する技術が多く実用化されている（例えば、特許文献１参照）。また、チューナーを内蔵したパーソナルコンピュータも多く実用化されており、更には、例えばチューナーを内蔵しないノート型のパーソナルコンピュータにおいても、ＰＣカードスロットに挿入可能なカード型の受信装置を用いることで、パーソナルコンピュータの表示系や電源系等を代用しながら放送を視聴したり記録したりすることができ、ソフトウェアとの連携によってこれまでにない様々な機能を容易に実現することが可能となる。
【特許文献１】特開２００３−２４４６００
【発明の開示】
【発明が解決しようとする課題】
【０００３】
ところで、上述のようにパーソナルコンピュータのＨＤＤ等に記録された放送データを再生する場合には、著作権保護の観点から、当該記録時のユーザのみが再生可能となるようなシステムが望ましい。しかしながら、従来のパーソナルコンピュータにおいては、記録された放送データのファイルの再生は、当該パーソナルコンピュータを操作可能であれば実質的には誰でも行なうことができ、著作権保護に欠ける面があった。
【０００４】
上記事情に鑑み、本発明の目的は、記録した放送データを、当該放送データの著作権を害することなく再生することが可能な電子機器、記録再生システム、記録再生方法及びそのプログラムを提供することにある。
【課題を解決するための手段】
【０００５】
上述の課題を解決するため、本発明の主たる観点に係る電子機器は、デジタル放送の放送データを受信可能な受信装置と接続するインターフェース部と、前記受信装置により受信され、前記受信装置を識別する識別情報を用いて暗号化された放送データを、当該受信装置から前記インターフェース部を介して受信する第１の受信手段と、前記受信された放送データを記録する記録手段と、前記受信装置から前記インターフェース部を介して前記識別情報を受信する第２の受信手段と、前記受信された識別情報を用いて、前記記録された放送データの暗号を復号する復号手段と、前記復号された放送データを再生する再生手段とを具備する。
【０００６】
ここで上記デジタル放送データには、映像及び音声両方のデータが含まれる場合は勿論、映像又は音声のみの場合もある。この構成により、上記識別情報を暗号鍵として上記放送データを暗号化して記録し、当該記録された放送データの再生の際には上記識別情報を上記受信装置から受信する必要があるため、上記識別情報により識別される受信装置が上記インターフェース部を介して上記電子機器に接続されていないと当該再生ができないこととなる。従って、上記受信装置の持ち主以外の者は記録した放送データを再生させることができないため、当該放送データの著作権が害されるのを防ぐことができる。
【０００７】
上記電子機器において、前記受信装置で受信される放送データは前記識別情報を用いてスクランブルされており、前記受信装置は、前記識別情報を用いて前記スクランブルされた放送データをデスクランブルし、更に当該識別情報を用いて暗号化するようにしてもよい。これにより、上記識別情報が上記スクランブルの鍵と上記暗号化の鍵の両方を兼ねているため、一の識別情報により容易にデスクランブル及び暗号／復号を行ないながらも、上記放送データを二重に保護することが可能となる。また、受信装置で放送データを暗号化して電子機器へ送信することで、当該送信中に当該放送データが不正にコピーされたりするのを防ぐことができる。
【０００８】
上記電子機器において、上記インターフェース部はＰＣカードスロットを有し、上記受信装置は前記ＰＣカードスロットに挿入されることで当該電子機器と接続可能なＰＣカード型の受信装置であっても構わない。ＰＣカード型の受信装置を用いることで、ＰＣカードスロットをインターフェースとして汎用のパーソナルコンピュータにおいても、著作権を保護しながら放送データの記録及び再生をすることが可能となる。
【０００９】
本発明の他の観点に係る記録再生システムは、デジタル放送の放送データを受信可能な受信装置と当該受信装置と接続可能な電子機器とでなる記録再生システムであって、前記受信装置は、前記デジタル放送の放送データを受信する手段と、前記受信された放送データを、当該受信装置を識別する識別情報を用いて暗号化する手段と、前記暗号化された放送データを前記接続された電子機器へ送信する手段とを有し、前記電子機器は、前記受信装置から前記放送データを受信する手段と、前記受信された放送データを記録する手段と、前記受信装置から前記識別情報を受信する手段と、前記受信された識別情報を用いて、前記記録された前記放送データの暗号を復号する手段と、前記復号された放送データを再生する手段とを有する。
【００１０】
本発明のまた別の観点に係る記録再生方法は、デジタル放送の放送データを受信可能な受信装置と接続するステップと、前記受信装置により受信され、前記受信装置を識別する識別情報を用いて暗号化された放送データを当該受信装置から受信するステップと、
前記受信された放送データを記録するステップと、前記受信装置から前記識別情報を受信するステップと、前記受信された識別情報を用いて、前記記録された放送データの暗号を復号するステップと、前記復号された放送データを再生するステップとを具備する。
【００１１】
本発明の更に別の観点に係るプログラムは、電子機器に、デジタル放送の放送データを受信可能な受信装置と接続するステップと、前記受信装置により受信され、前記受信装置を識別する識別情報を用いて暗号化された放送データを当該受信装置から受信するステップと、前記受信された放送データを記録するステップと、前記受信装置から前記識別情報を受信するステップと、前記受信された識別情報を用いて、前記記録された放送データの暗号を復号するステップと、前記復号された放送データを再生するステップとを実行させるためのものである。
【発明の効果】
【００１２】
本発明によれば、記録した放送データを、当該放送データの著作権を害することなく再生することができる。
【発明を実施するための最良の形態】
【００１３】
以下、本発明の実施の形態を図面に基づき詳細に説明する。
【００１４】
本実施形態においては、電子機器としてノート型のパーソナルコンピュータ１を適用している。また、放送の受信から映像及び／又は音声の再生までの処理のうち、放送の受信や当該放送信号の復調等の処理を、当該パーソナルコンピュータ１のＰＣＭＣＩＡカードスロットに挿入したカード型の受信装置１０により実行している。まず、当該カード型の受信装置１０について説明する。
【００１５】
（カード型の受信装置の外観構成）  
図１は本発明の一実施形態に係るカード型の受信装置の外観を示す斜視図であって、アンテナ収容ケースを折り畳んだ状態を示している。図２は当該カード型の受信装置の外観を示す図であって、アンテナ収容ケースを開いた状態を示している。図３は当該カード型の受信装置がパーソナルコンピュータのＰＣＭＣＩＡカードスロットに挿入された状態を示している。
【００１６】
これらの図に示すように、このカード型の受信装置１０は、パーソナルコンピュータ１のＰＣＭＣＩＡカードスロット２に挿入可能とされている。  
このカード型の受信装置１０は、パーソナルコンピュータ１のＰＣＭＣＩＡカードスロット２内に収容されるカード本体２０と、このカード本体２０と一体化され、かつ、カード本体２０がＰＣＭＣＩＡカードスロット２内に収容されたときに当該カードスロット２より外側に露出する外出部３０とを有する。
【００１７】
カード本体２０は、長方形で金属製の筺体２１と、筺体２１の一辺側（外出部３０がある側とは反対側の辺）に設けられたコネクタ２２とを有する。コネクタ２２は、メス型であり、カード本体２０がＰＣＭＣＩＡカードスロット２内に収容されたときにＰＣＭＣＩＡカードスロット２内の対応する位置に設けられたオス型のコネクタ（図示せず）に接続されるようになっている。なお、カード本体２０の表面には、商品の名称や注意書き等が印刷されたシール（図示せず）が貼られている。
【００１８】
外出部３０は、カード本体２０がＰＣＭＣＩＡカードスロット２内に収容される第１の方向（Ｘ方向）にカード本体２０から延在された第１のケース３１と、第１のケース３１におけるＸ方向と直交する方向（Ｙ方向）の両側の枢着部３２にそれぞれ枢着された２つの第２のケース（アンテナ収容ケース）３３とを有する。第１のケース３１は、例えばカード本体２０より僅かに厚く、且つ、僅かに幅が大きいプラスチック製のケースであり、カード本体２０におけるコネクタ２２が設けられた辺とは反対側の辺に突き出るように設けられている。
【００１９】
第１のケース３１の表面３４のほぼ中央には、Ｘ方向に所定の間隔をもって配置され、それぞれＹ方向に延びる２つのゴム製のクッション部材３５が取り付けられている。なお、第１のケース３１の裏面には、商品特定用のバーコードが印刷されたシール（図示せず）が貼られている。
【００２０】
２つの第２のケース３３は、左右対称の形状を有しており、第２のケース３３の折り畳み時には第２のケース３３の表面３６が第１のケース３１の表面３４と対面して第１のケース３１と第２のケース３３とが一体化して形状となり、各第２のケース３３をＹ方向に開いたとき、つまりこの受信装置１０の使用時には２つの第２のケース３３の表面３６が第１のケース３１の表面３４と同じ方向（仰向き）となるように、枢着部３２を介してカード本体２０に枢着されている。
【００２１】
各第２のケース３３の表面３６には、それぞれ十字上の溝３７が設けられている。また、各第２のケース３３の表面３６のＹ方向の外側２箇所には突起部３８が設けられている。この突起部３８は、第２のケース３３の折り畳み時に、第１のケース３１の表面３４に取り付けられたクッション部材３５に当接するようになっている。これにより、第２のケース３３の折り畳み時の機械的ショックが第１のケース３１及び第２のケース３３に極力影響しないようにされている。
【００２２】
各第２のケース３３の第１のケース３１がある側とは反対側の側面には、外部アンテナ接続端子３９が設けられている。外部アンテナ接続端子３９にはゴム製のキャップ４０が取り付けられている。
【００２３】
（カード型の受信装置１０の内部構成）  
ここで、このカード型の受信装置１０は、衛星放送を受信して暗号化された映像信号及び／又は音声信号をパーソナルコンピュータ１に伝送するものである。なお、当該衛星放送における放送信号の伝送にはマルチパス環境においても良好な受信が可能なＣＤＭ（Ｃｏｄｅ  Ｄｉｖｉｓｉｏｎ  Ｍｕｌｔｉｐｌｅｘｉｎｇ；符号分割多重）方式を用いることが好ましい態様であるが、他の方式であっても勿論構わない。ＣＤＭ方式は、伝送されるデジタルデータのストリームにおける１シンボル内のマルチパスフェージングによって散乱して受信機に到来した受信信号を複数の相関受信機を用いて分離し、散乱した信号を合成して信号電力を高めて受信するＲＡＫＥ受信を行うことにより、耐マルチパス特性の高い受信が可能となる。
【００２４】
図４はこの実施形態に係るカード型の受信装置１０の内部構成を示すブロック図である。  
同図に示すように、第２のケース３３内には、平面型のパッチアンテナ４１、ＬＮＡ（ローノイズアンプ）４２及びアンテナ切り替え部４３が収容されている。ＬＮＡ４２は、パッチアンテナ４１又は外部アンテナから入力されたＲＦ信号を増幅する増幅器である。アンテナ切り替え部４３は、外部アンテナ接続端子３９に外部アンテナが接続されたとき、当該接続による力によって平面型のパッチアンテナ４１に代えて外部アンテナからの信号がＬＮＡ４２に入力されるように切り替えるものである。外部アンテナが外されたときには、その逆の動作が行われる。
【００２５】
図５に示すように、平面型のパッチアンテナ４１は、第２のケース３３の表面３６側に指向性を有するアンテナである。この平面型のパッチアンテナ４１の裏面に、ＬＮＡ４２及びアンテナ切り替え部４３が配置されている。
【００２６】
第１のケース３１内には、増幅されたＲＦ信号を復調部に渡すためにダウンコンバートするＲＦダウンコンバート部４４が設けられている。
【００２７】
図６に示すように、このＲＦダウンコンバート部４４を構成する素子における第１のケース３１の表面３４側には、グランドに接地された金属製の板状部材４５により覆われている。これにより、ＲＦダウンコンバート部４４から発生する熱をより効果的に放熱することが可能となり、ＲＦダウンコンバート部４４から発生するノイズがＬＮＡ４２に回り込むことがなくなる。
【００２８】
カード本体２０内には、ＲＦダウンコンバート部４４によりダウンコンバートされたＲＦ信号を復調する復調部４６、条件付きアクセスまたは限定受信にされている有料放送において受信契約の有無に応じてＲＦ信号の解読を実行するか否かを規制するコンディショナル・アクセス部４７、パーソナルコンピュータ１との間でインターフェースを図ると共にパーソナルコンピュータ１側に送出する復調された信号を暗号化するインターフェース部４８及びコネクタ２２が設けられている。なお、カード本体２０内には、これらの要素の他に、装置全体を包括的に制御するための制御部やＲＡＭ(Random Access Memory)、ＲＯＭ(Read Only Memory)、パーソナルコンピュータ１から供給された電力を各部に供給するための電源部等（以上、図示を省略）を備える。
【００２９】
以上の第１のケース３１内及びカード本体２０内の各構成部品は１枚の共通の基板４９上に実装されている。
【００３０】
次に、上記のようなカード型の受信装置１０が接続されるパーソナルコンピュータ１について説明する。図７は、パーソナルコンピュータ１の構成を示したブロック図である。
【００３１】
同図に示すように、パーソナルコンピュータ１は、インターフェース部７１、デコーダ７２、グラフィックコントローラ７３、Ｄ／Ａ（デジタル／アナログ）コンバータ７４、表示部７５、音声出力部７６、操作入力部７７、バッテリ７８、ＨＤＤ７９、ＣＰＵ(Central Processing Unit)８０、ＲＡＭ８１及びＲＯＭ８２で構成され、それらはバス８３で接続されている。
【００３２】
インターフェース部７１は、パーソナルコンピュータ１とカード型の受信装置１０とを接続するインターフェースとなる。当該インターフェース部７１は具体的には上述したＰＣＭＣＩＡカードスロット２であり、当該スロット２内のオス型のコネクタが上記カード型受信装置１０のメス型のコネクタ２２と接続することで、上記復調部４６において復調され、インターフェース部４８において暗号化された信号がパーソナルコンピュータ１内に送入される。
【００３３】
デコーダ７２は、上記インターフェース部７１を介して送入されたデジタル信号の処理を行う。具体的には、暗号化されたデジタル信号を復号するとともに、例えばＭＰＥＧ−２（Moving Picture Experts Group-2）のＴＳ（トランスポートストリーム）方式で圧縮されたデジタル信号をＭＰＥＧ−２の規定に従ってデコードする。当該デコードされたデジタル信号のうち、映像信号はグラフィックコントローラ７３へ送られ、音声信号はＤ／Ａコンバータ７４へ送られる。更に、データ信号又はＳＩ／ＰＳＩ（Program Specific Information / Service Information）信号からは、各チャンネルで放送される番組の番組内容が記述されたＥＰＧデータが抽出され、ＲＡＭ８１へ記憶される。なお、本実施形態においては、デコーダ７２はソフトウェアにより実現されるが、ハードウェアによって実現されても勿論構わない。
【００３４】
グラフィックコントローラ７３では、受信したデジタル映像信号が例えばＮＴＳＣ画像信号に変換され、当該ＮＴＳＣ画像が、例えばＬＣＤ（Liquid Crystal Display）等でなる表示部７５へ表示される。また、Ｄ／Ａコンバータ７４では、デジタル音声信号がアナログ音声信号へ変換され、当該アナログ音声信号が音声出力部７６から出力される。
【００３５】
操作入力部７７は、例えばキーボード、マウス、トラックパッド、タッチパネル、操作ボタン等でなり、番組を再生又は録画したり、番組情報を表示したりする際のユーザの操作を入力する。またバッテリ７８は、パーソナルコンピュータ１の電源を供給すると共に、上記インターフェース部７１を介してカード型受信装置１０へ電力を供給する。
【００３６】
ＨＤＤ７９は、ＯＳや各種アプリケーション等、パーソナルコンピュータ１を動作させるために必要なプログラムや、放送番組を記録した映像又は音声ファイル等の各種データを格納している。本実施形態においてデジタル放送を視聴及び記録するための放送視聴アプリケーション８４も当該ＨＤＤ７９に格納される。
【００３７】
ＣＰＵ８０は、ＲＯＭ８２に格納されている制御プログラムや、上記放送視聴アプリケーション８４のような各種アプリケーションやプログラム、各種データをＲＡＭ８１に展開し、上記操作入力部７７から入力されたユーザの指示に基づいて、各種ハードウェアや、アプリケーション及びプログラムの処理を行い、パーソナルコンピュータ１の全体の動作を制御する。また上述したようにＲＡＭ８１には上記ＥＰＧデータも格納される。
【００３８】
次に、上記のように構成されたカード型受信装置１０及びパーソナルコンピュータ１の動作について説明する。
【００３９】
まず、カード型受信装置１０において受信された放送データをパーソナルコンピュータ１が記録する際の動作について説明する。図８は、本実施形態において番組を視聴する場合に、表示部７５に表示されるウィンドウ（以下、視聴ウィンドウという）の例を示した図である。同図に示すように、視聴ウィンドウ１００においては、番組の映像が表示される番組表示画面１０４の上部に、チャンネル表示欄１０１及び番組表示欄１０３を有する。チャンネル表示欄にはチャンネル番号とチャンネル名が表示され、また当該欄右端のチャンネル切替ボタン１０２をユーザが操作入力部７７を介してクリック等することによりチャンネルの切替（選局）を行なうことが可能となっている。
【００４０】
番組表示画面１０４の下部には音量調整エリア１０６が表示され、ユーザが当該エリア内の任意の位置又は両端のボタンをクリック等することにより音量調整を行なうことが可能となっている。
【００４１】
音量調整エリア１０６の下部には、記録ボタン１０５が表示される。ユーザが当該ボタンをクリック等することにより、番組表示画面１０４に表示された映像の録画が開始される。なお、本実施形態において、放送局から放送される番組は映像番組だけでなく、音声のみの番組もあり、放送視聴アプリケーション８４は、上記記録ボタン１０５が押下されることで当該音声番組も記録（録音）することが可能となっている。また、本実施形態における放送データは、映像データはＭＰＥＧ−４（Moving Picture Experts Group phase-4）、音声データはＡＡＣ（Advanced Audio Coding）のそれぞれの圧縮方式のファイルとして記録されるが、これらのフォーマットに限定されるものではない。
【００４２】
また、録画ボタンの右側には記録リスト表示ボタン１０７が表示される。ユーザが当該ボタンをクリック等することにより、記録されたファイルのリスト（以下、記録ファイルリストという）が表示されるようになっている。
【００４３】
図９は、当該記録ファイルリスト１０８の表示例を示した図である。当該記録ファイルリストにおいては、例えば記録した日時が現在時刻に近いものから順に、それぞれチャンネル番号、チャンネル名、記録開始日時及び記録終了日時の各項目が表示される。そして、当該各ファイルの表示エリア内でユーザが例えばクリック操作を入力することにより、当該記録ファイルを再生することが可能となっている。
【００４４】
図１０は、番組が記録されるまでのカード型受信装置１０及びパーソナルコンピュータ１の動作及びデータの流れを示したシーケンス図である。
【００４５】
同図に示すように、まず、カード型受信装置１０は、パッチアンテナ４１により放送データを受信し（ステップ２０１）、当該放送データをＲＦダウンコンバート部４４によりダウンコンバートして復調部４６により復調する（ステップ２０２）。続いて、コンディショナル・アクセス部４７により、有料放送の契約者であるかを識別するために当該放送データにかけられているスクランブルを解除する（ステップ２０３）。すなわち、当該放送データに含まれる契約者情報を抽出し、当該契約者情報と、当該カード型受信装置１０を識別するための識別情報とが一致した場合に放送データのデスクランブルを行なう。そして、当該デスクランブルされた放送データを、インターフェース部４８により上記識別情報を暗号鍵として暗号化し（ステップ２０４）、当該暗号化された放送データを、当該インターフェース部４８を介してパーソナルコンピュータ１へ送信する（ステップ２０５）。このとき、上記識別情報も送信される。
【００４６】
パーソナルコンピュータ１は、上記カード型受信装置１０が接続された状態で、上記送信された放送データを、インターフェース部７１を介して受信し（ステップ２０６）、放送視聴アプリケーション８４を起動する（ステップ２０７）。そして、上記受信した放送データの暗号を、共に受信した識別情報を鍵として復号して、更に、デコーダ７２により、ＭＰＥＧ−４及びＡＡＣのＴＳ（トランスポートストリーム）方式で圧縮された放送データをそれぞれの規定に従ってデコードして、上記視聴ウィンドウ１００において再生する（ステップ２０８）。このとき、放送視聴アプリケーション８４は、ユーザから上記記録ボタン１０５に対する操作入力があったか否かを確認し（ステップ２０９）、操作入力があった場合には（ステップ２０９のＹＥＳ）、再生中の放送データを、上記暗号化の復号及びデコードをしない状態でＨＤＤ７９へ記録する（ステップ２１０）。すなわち、放送データのリアルタイム再生の場合には上記識別情報を用いて暗号が復号され、更にＭＰＥＧの規定に従ってデコードされて再生されるが、当該データを記録する際には、インターフェース部７１から送入された放送データが一方で復号、デコードされて表示部７５及び音声出力部７６から再生され、他方では暗号化及び圧縮されたままの状態でコピーされてＨＤＤ７９に記録されることとなる。
【００４７】
次に、上記記録した放送データを再生する際の動作について説明する。図１１は、上記記録した放送データを再生する場合のカード型受信装置１０及びパーソナルコンピュータ１の動作及びデータの流れを示したシーケンス図である。
【００４８】
同図に示すように、パーソナルコンピュータ１において放送視聴アプリケーション７９が起動すると（ステップ３０１）、当該放送視聴アプリケーション７９は、上記記録ファイルリスト１０８上でユーザの操作により記録ファイルの再生が選択されたか否かを確認する（ステップ３０２）。記録ファイルの再生が選択された場合には（ステップ３０２のＹＥＳ）、カード型受信装置１０が接続された状態で、カード型受信装置１０に対して、当該カード型受信装置１０が有する上記識別情報の送信を要求する（ステップ３０３）。カード型受信装置１０は、当該要求を受信すると（ステップ３０４）、自身の識別情報をパーソナルコンピュータ１へ送信する（ステップ３０５）。パーソナルコンピュータ１では、当該識別情報を受信すると（ステップ３０５）、当該識別情報を鍵として記録ファイルの暗号を復号する（ステップ３０５）。当該復号に成功した場合（ステップ３０５のＹＥＳ）、すなわち、録画時のカード型受信装置１０と同一の装置から当該装置の識別情報を受信して当該識別情報により復号できた場合には、圧縮されたデータをデコーダ７２によりデコードし、表示部７５及び音声出力部７６によりファイルの再生を行なう（ステップ３１０）。一方、復号に失敗した場合（ステップ３０７のＮＯ）、すなわち、記録時のカード型受信装置と再生時のカード型受信装置が異なっており、再生時に接続されたカード型受信装置の識別情報が記録時の暗号化に用いた識別情報とは異なっている場合には、ファイルを再生できない旨を例えば視聴ウィンドウ１００内に表示する（ステップ３０８）。
【００４９】
以上の動作により、カード型受信装置１０に固有の識別情報を放送データの暗号鍵として用いて、暗号化した状態で記録することで、放送データの記録時に接続されていたカード型受信装置１０が接続されていないと当該記録したデータが再生できないこととなり、当該放送データの著作権が適切に保護される。
【００５０】
なお、本発明は上述の実施形態にのみ限定されるものではなく、本発明の要旨を逸脱しない範囲内において種々変更を加え得ることは勿論である。
【００５１】
上述の実施形態においては、上記識別情報によりスクランブル化された放送データをコンディショナル・アクセス部４７により一旦復号して、再度インターフェース部４８において当該識別情報を用いて再度暗号化してパーソナルコンピュータ１へ送信していたが、コンディショナル・アクセス部４７の機能を放送視聴アプリケーション８４側に持たせて、スクランブルされた状態の放送データをそのままＨＤＤ７９へ記録し、再生の際にカード型受信装置１０から識別情報を受信して当該識別情報を用いてでスクランブルを行なうような形態であっても構わない。
上述の実施形態においては、カード型の受信装置１０にはＰＣＭＣＩＡカード型のものを採用したが、例えばＣＦ（Compact Flash、登録商標）やＳＤカード（登録商標）等のメモリーカードの規格に準拠したものを採用しても構わない。
【００５２】
上述の実施形態においては、放送データは再生中に記録ボタン１０５を押下することで記録されたが、予め記録予約をすることで、放送開始時刻になったときに自動的に記録されるようにしても構わない。
【００５３】
また、上記実施形態において、記録した放送データの復号に失敗した場合、すなわち記録時のカード型受信装置１０とは異なるカード型受信装置が接続された場合には、パーソナルコンピュータ１が例えばＬＡＮ等のネットワークを介して接続された他のパーソナルコンピュータの中から、当該異なるカード型受信装置と適合する他のパーソナルコンピュータ（すなわち、当該異なるカード型受信装置の識別情報を用いて暗号化された放送データを記録してあるパーソナルコンピュータ）を検索するようにしてもよい。そして、該当する他のパーソナルコンピュータが見つかった場合には、当該見つかった他のパーソナルコンピュータ上で当該他のパーソナルコンピュータの記録ファイルを再生するようにしてもよいし、また、当該他のパーソナルコンピュータとパーソナルコンピュータ１とが信頼関係にある場合等には、当該パーソナルコンピュータ１上で記録ファイルを再生するようにしても構わない。
【図面の簡単な説明】
【００５４】
【図１】本発明の一実施形態に係るカード型の受信装置の外観を示す斜視図であって、アンテナ収容ケースを折り畳んだ状態を示している。
【図２】一実施形態に係るカード型の受信装置の外観を示す図であって、アンテナ収容ケースを開いた状態を示している。
【図３】一実施形態に係るカード型の受信装置がパーソナルコンピュータのＰＣＭＣＩＡカードスロットに挿入された状態を示した図である。
【図４】本実施形態に係るカード型の受信装置１０の内部構成を示すブロック図である。
【図５】一実施形態に係る第２のケースの断面図である。
【図６】一実施形態に係る第１のケースの断面図である。
【図７】一実施形態に係るパーソナルコンピュータ１の構成を示したブロック図である。
【図８】一実施形態において番組を視聴する場合に表示される視聴ウィンドウ１００の例を示した図である。
【図９】記録ファイルリスト１０８の表示例を示した図である。
【図１０】番組が記録されるまでのカード型受信装置１０及びパーソナルコンピュータ１の動作及びデータの流れを示したシーケンス図である。
【図１１】記録した放送データを再生する場合のカード型受信装置１０及びパーソナルコンピュータ１の動作及びデータの流れを示したシーケンス図である。
【符号の説明】
【００５５】
１  パーソナルコンピュータ
２  ＰＣＭＣＩＡカードスロット
１０…カード型の受信装置
２０…カード本体
３０…外出部
３１…第１のケース
３２…枢着部
３３…第２のケース
３９…外部アンテナ接続端子
４１…平面型のパッチアンテナ
４２…ＬＮＡ（ローノイズアンプ）
４３…アンテナ切り替え部
４４…ＲＦダウンコンバート部
４５…金属製の板状部材
４６…復調部
４８…インターフェース部
７５…表示部
７６…音声出力部
７７…操作入力部
７９…ＨＤＤ
８０…ＣＰＵ
８１…ＲＡＭ
８２…ＲＯＭ
８４…放送視聴アプリケーション
１００…視聴ウィンドウ
１０５…記録ボタン
１０７…記録リスト表示ボタン
１０８…記録ファイルリスト
【図６】
2006245699.tif 000003
【図１】
2006245699.tif 000004
【図２】
2006245699.tif 000005
【図３】
2006245699.tif 000006
【図４】
2006245699.tif 000007
【図５】
2006245699.tif 000008
【図７】
2006245699.tif 000009
【図８】
2006245699.tif 000010
【図９】
2006245699.tif 000011
【図１０】
2006245699.tif 000012
【図１１】
2006245699.tif 000013